(57)【要約】【課題】ソースドライバによって共通ラインに電圧が印加されていない期間において共通ラインの電圧が所定の値に保持される表示装置を提供する。【解決手段】複数の共通ラインと、複数の駆動ラインと、複数の発光素子と、ソースドライバと、シンクドライバと、を備えた表示装置であって、前記共通ラインに接続されるとともに、前記接続されている共通ラインの電圧が前記ソースドライバによって電圧が印加されていない期間において所定の値より低い場合にこれを所定の値にまで引き上げる充電装置と、前記共通ラインに接続されるとともに、前記接続されている共通ラインの電圧が前記ソースドライバによって電圧が印加されていない期間において所定の値より高い場合にこれを所定の値にまで引き下げる放電装置と、を備えた表示装置である。【選択図】図１
2015031744.tif 000002
【特許請求の範囲】
【請求項１】
複数の共通ラインと、複数の駆動ラインと、前記複数の共通ラインと前記複数の駆動ラインとに接続される複数の発光素子と、前記複数の共通ラインに時分割で電圧を印加するソースドライバと、前記複数の駆動ラインのうち点灯対象となる発光素子に接続された駆動ラインから電流を引き込むシンクドライバと、を備えた表示装置であって、
前記共通ラインに接続されるとともに、前記接続されている共通ラインの電圧が前記ソースドライバによって電圧が印加されていない期間において所定の値より低い場合にこれを所定の値にまで引き上げる充電装置と、
前記共通ラインに接続されるとともに、前記接続されている共通ラインの電圧が前記ソースドライバによって電圧が印加されていない期間において所定の値より高い場合にこれを所定の値にまで引き下げる放電装置と、
を備えたことを特徴とする表示装置。
【請求項２】
前記充電装置は、電圧供給部と、一端が前記電圧供給部側に接続され他端が前記共通ライン側に接続される半導体スイッチと、を備えていることを特徴とする請求項１に記載の表示装置。
【請求項３】
前記放電装置は、一端が前記共通ライン側に接続され他端がグランド側に接続される半導体スイッチを備えていることを特徴とする請求項１または２に記載の表示装置。
【請求項４】
前記充電装置に２以上の共通ラインが接続されていることを特徴とする請求項１から３のいずれか１項に記載の表示装置。
【請求項５】
前記放電装置に２以上の共通ラインが接続されていることを特徴とする請求項１から４のいずれか１項に記載の表示装置。
【発明の詳細な説明】
【技術分野】
【０００１】
本発明は、複数の発光素子がダイナミック点灯方式で駆動制御される表示装置に関する。
【背景技術】
【０００２】
従来、共通ラインの寄生容量が駆動ラインに流れ込むことによる発光素子の誤点灯を防止するため、ソースドライバによって共通ラインに電圧が印加されていない期間に共通ラインの寄生容量を放電する表示装置が提案された（特許文献１参照）。
【先行技術文献】
【特許文献】
【０００３】
【特許文献１】特開２００５−１５６８７０号公報
【発明の概要】
【発明が解決しようとする課題】
【０００４】
しかしながら、従来の表示装置では、共通ラインの電圧がその寄生容量の過放電により必要以上に低下してしまい、発光素子に大きな逆電圧が掛かるという問題があった。
【０００５】
そこで、本発明は、ソースドライバによって共通ラインに電圧が印加されていない期間において共通ラインの電圧が所定の値に保持される表示装置を提供することを目的とする。
【課題を解決するための手段】
【０００６】
本発明によれば、上記課題は、次の手段により解決される。すなわち、複数の共通ラインと、複数の駆動ラインと、前記複数の共通ラインと前記複数の駆動ラインとに接続される複数の発光素子と、前記複数の共通ラインに時分割で電圧を印加するソースドライバと、前記複数の駆動ラインのうち点灯対象となる発光素子に接続された駆動ラインから電流を引き込むシンクドライバと、を備えた表示装置であって、前記共通ラインに接続されるとともに、前記接続されている共通ラインの電圧が前記ソースドライバによって電圧が印加されていない期間において所定の値より低い場合にこれを所定の値にまで引き上げる充電装置と、前記共通ラインに接続されるとともに、前記接続されている共通ラインの電圧が前記ソースドライバによって電圧が印加されていない期間において所定の値より高い場合にこれを所定の値にまで引き下げる放電装置と、を備えたことを特徴とする表示装置である。
【発明の効果】
【０００７】
本発明によれば、ソースドライバによって共通ラインに電圧が印加されていない期間において共通ラインの電圧が所定の値に保持されるため、発光素子に大きな逆電圧が掛かることを防止することができる。
【図面の簡単な説明】
【０００８】
【図１】本発明の実施形態１に係る表示装置の回路図（ａ）及びタイミングチャート（ｂ）である。
【図２】本発明の実施形態２に係る表示装置の回路図（ａ）及びタイミングチャート（ｂ）である。
【図３】本発明の実施形態３に係る表示装置の回路図（ａ）及びタイミングチャート（ｂ）である。
【図４】本発明の実施形態４に係る表示装置の回路図（ａ）及びタイミングチャート（ｂ）である。
【図５】本発明の実施形態５に係る表示装置の回路図（ａ）及びタイミングチャート（ｂ）である。
【発明を実施するための形態】
【０００９】
以下に、添付した図面を参照しつつ、本発明を実施するための形態について説明する。
【００１０】
［本発明の実施形態１に係る表示装置］
図１は、本発明の実施形態１に係る表示装置の回路図（ａ）及びタイミングチャート（ｂ）である。図１（ｂ）中の「ＯＮ」は、半導体スイッチの両端が電気的に接続されること（スイッチが「閉じる」こと）を意味している。
【００１１】
図１に示すように、本発明の実施形態１に係る表示装置は、複数の共通ラインＬ１１〜１３と、複数の駆動ラインＬ２１、２２と、複数の共通ラインＬ１１〜１３と複数の駆動ラインＬ２１、２２とに接続される複数の発光素子１〜６と、複数の共通ラインＬ１１〜１３に時分割で電圧を印加するソースドライバと、複数の駆動ラインＬ２１、２２のうち点灯対象となる発光素子に接続された駆動ラインから電流を引き込むシンクドライバと、を備えた表示装置であって、共通ラインＬ１１〜１３に接続されるとともに、接続されている共通ラインＬ１１〜１３の電圧がソースドライバによって電圧が印加されていない期間において所定の値より低い場合にこれを所定の値にまで引き上げる充電装置Ａ１〜３と、共通ラインＬ１１〜１３に接続されるとともに、接続されている共通ラインＬ１１〜１３の電圧がソースドライバによって電圧が印加されていない期間において所定の値より高い場合にこれを所定の値にまで引き下げる放電装置Ｂ１〜３と、を備えた表示装置である。
【００１２】
以下、順に説明する。
【００１３】
（複数の共通ライン、複数の駆動ライン）
複数の共通ラインＬ１１〜１３や複数の駆動ラインＬ２１、２２には、例えば銅箔を用いる。例えば、プリント配線基板の配線の一部が共通ラインＬ１１〜１３及び駆動ラインＬ２１、２２に相当する。
【００１４】
（複数の発光素子）
複数の発光素子１〜６には、例えば図１に示した発光ダイオードを用いる。複数の発光素子１〜６は、複数の共通ラインＬ１１〜１３と複数の駆動ラインＬ２１、２２とに接続される。
【００１５】
（ソースドライバ）
ソースドライバは、例えば半導体スイッチＣＯＭ１〜３を有している。ソースドライバが有する半導体スイッチＣＯＭ１〜３には、例えば図１に示したＰチャネル型ＦＥＴ（Ｆｉｅｌｄ  Ｅｆｆｅｃｔ  Ｔｒａｎｓｉｓｔｏｒ：電界効果トランジスタ）などのほか、ＰＮＰトランジスタなどを用いることができる。ソースドライバは、例えば半導体スイッチＣＯＭ１〜３を時分割で開閉して複数の共通ラインＬ１１〜１３を時分割で電圧供給部Ｖ１に接続することにより、複数の共通ラインＬ１１〜１３に時分割で電圧を印加する。なお、具体的な数値を挙げて理解を容易にするため、図１では、一例として、電圧供給部Ｖ１が供給する電圧を５Ｖとしているが、電圧供給部Ｖ１が供給する電圧は５Ｖに限定されない。
【００１６】
（シンクドライバ）
シンクドライバは、例えば半導体スイッチＳＥＧ１、２を有している。シンクドライバが有する半導体スイッチＳＥＧ１、２には、例えば図１に示したＮＰＮトランジスタなどのほか、Ｎチャネル型ＦＥＴなどを用いることができる。シンクドライバは、複数の駆動ラインＬ２１、２２のうち点灯対象となる発光素子に接続された駆動ラインから電流を引き込む。
【００１７】
（充電装置）
充電装置Ａ１〜３は、共通ラインＬ１１〜１３に接続されるとともに、接続されている共通ラインＬ１１〜１３の電圧がソースドライバによって電圧が印加されていない期間において所定の値より低い場合にこれを所定の値にまで引き上げる。本発明の実施形態１では、複数の共通ラインＬ１１〜１３に充電装置Ａ１〜３がそれぞれ接続される。
【００１８】
充電装置Ａ１〜３は、例えば、電圧供給部Ｖ２をそれぞれ有している。電圧供給部Ｖ２には、例えば、シリーズレギュレータやスイッチングレギュレータ（ＤＣ−ＤＣコンバータ）などの安定化電源を用いることができる。なお、安定化電源の入力電圧をソースドライバにより共通ラインに印加される電圧以上の値とすることにより、共通ラインＬ１１〜１３から安定化電源への電流の逆流を防止することができる。安定化電源の入力電圧をソースドライバにより共通ラインに印加される電圧未満の値とする場合は、安定化電源と共通ラインＬ１１〜１３との間のどこかにダイオードを入れることにより、共通ラインＬ１１〜１３から安定化電源への電流の逆流を防止することができる。
【００１９】
充電装置Ａ１〜３は、電圧供給部Ｖ２と共通ラインＬ１１〜１３との間に半導体スイッチなどを有しておらず、電圧供給部Ｖ２は、共通ラインＬ１１〜１３に常時接続されている。このため、共通ラインＬ１１〜１３の電圧は、表示装置の電源投入直後から共通ラインの走査（ソースドライバによる電圧の印加）が開始されるまでの間においても所定の値に保持される。なお、表示装置の電源投入直後から共通ラインの走査が開始されるまでの間は、ソースドライバによって電圧が印加されていない期間の一例である。
【００２０】
（放電装置）
放電装置Ｂ１〜３は、共通ラインＬ１１〜１３に接続されるとともに、接続されている共通ラインＬ１１〜１３の電圧がソースドライバによって電圧が印加されていない期間において所定の値より高い場合にこれを所定の値にまで引き下げる。本発明の実施形態１では、複数の共通ラインＬ１１〜１３に放電装置Ｂ１〜３がそれぞれ接続される。
【００２１】
放電装置Ｂ１〜３は、例えば、半導体スイッチＳＷ１〜３（例：Ｎチャネル型ＦＥＴやＮＰＮトランジスタ）を有している。半導体スイッチＳＷ１〜３は、その一端が共通ラインＬ１１〜１３側に接続され、その他端がグランド側に接続される。共通ラインＬ１１〜１３の電圧が所定の値にまでに引き下げられた後に半導体スイッチＳＷ１〜３を開いて充電装置Ａ１〜３とグランド側との導通を解除することにより、充電装置Ａ１〜３から放電装置Ｂ１〜３に無駄な電流が流れることを抑制して、消費電力の低減を図ることができる。
【００２２】
（負荷）
放電装置Ｂ１〜３には、抵抗素子などの負荷Ｌを設けることができる。このようにすれば、放電装置Ｂ１〜３が有する半導体スイッチなどに過大な電流が流れることが抑制される。なお、充電装置Ａ１〜３に抵抗素子などの負荷Ｌを設けることもできる。このようにしても、放電装置Ｂ１〜３が有する半導体スイッチなどに過大な電流が流れることが抑制される。
【００２３】
（動作）
図１（ｂ）に示すように、本発明の実施形態１に係る表示装置では、表示装置の電源が投入されてから、所定の時間が経過すると、ソースドライバによる共通ラインＬ１１〜１３の走査が開始される。充電装置Ａ１〜３の電圧供給部Ｖ２が共通ラインＬ１１〜１３に常時接続されているため、共通ラインＬ１１〜１３の電圧は、表示装置の電源投入直後から共通ラインＬ１１〜１３の走査が開始されるまでの間（ソースドライバによって電圧が印加されていない期間の一例）において所定の値にまで引き上げられる。具体的には、共通ラインＬ１１の電圧は０Ｖから２．８Ｖにまで引き上げられ、共通ラインＬ１２の電圧は０Ｖから２．０Ｖにまで引き上げられ、共通ラインＬ１３の電圧は０Ｖから１．２Ｖにまで引き上げられる。
【００２４】
ソースドライバによる走査が開始すると、複数の共通ラインＬ１１〜１３に時分割で電圧が印加される。具体的には、半導体スイッチＣＯＭ１〜３が、半導体スイッチＣＯＭ１、半導体スイッチＣＯＭ２、半導体スイッチＣＯＭ３、半導体スイッチＣＯＭ１・・・の順に所定の時間間隔を空けて繰り返し開閉し、複数の共通ラインＬ１１〜１３に電圧が順次印加される。
【００２５】
シンクドライバは、複数の駆動ラインＬ２１、２２のうち点灯対象となる発光素子に接続された駆動ラインから電流を引き込む。ここでは、発光素子１、４が点灯対象となる発光素子であるとして、共通ラインＬ１１に電圧が印加されている間に半導体スイッチＳＥＧ１が閉じて駆動ラインＬ２１から電流が引き込まれ、共通ラインＬ１２に電圧が印加されている間に半導体スイッチＳＥＧ２が閉じて駆動ラインＬ２２から電流が引き込まれる。これにより、発光素子１、４が点灯する。
【００２６】
放電装置Ｂ１が有する半導体スイッチＳＷ１は、ソースドライバが共通ラインＬ１１への電圧の印加を終了してから共通ラインＬ１２への電圧の印加を開始するまでの間（ソースドライバによって電圧が印加されていない期間の一例）、すなわち、半導体スイッチＣＯＭ１が閉じてから半導体スイッチＣＯＭ２が開くまでの間に閉じる。これにより、共通ラインＬ１１の電圧が所定の値にまで引き下げられる。具体的には、５Ｖから２．８Ｖにまで引き下げられる。
【００２７】
同様に、放電装置Ｂ２が有する半導体スイッチＳＷ２は、ソースドライバが共通ラインＬ１２への電圧の印加を終了してから共通ラインＬ１３への電圧の印加を開始するまでの間（ソースドライバによって電圧が印加されていない期間の一例）、すなわち、半導体スイッチＣＯＭ２が閉じてから半導体スイッチＣＯＭ３が開くまでの間に閉じる。これにより、共通ラインＬ１２の電圧が所定の値にまで引き下げられる。具体的には、５Ｖから２．０Ｖにまで引き下げられる。
【００２８】
同様に、放電装置Ｂ３が有する半導体スイッチＳＷ３は、ソースドライバが共通ラインＬ１３への電圧の印加を終了してから共通ラインＬ１１への電圧の印加を開始するまでの間（ソースドライバによって電圧が印加されていない期間の一例）、すなわち、半導体スイッチＣＯＭ３が閉じてから半導体スイッチＣＯＭ１が開くまでの間に閉じる。これにより、共通ラインＬ１３の電圧が所定の値にまで引き下げられる。具体的には、５Ｖから１．２Ｖにまで引き下げられる。
【００２９】
以上説明した本発明の実施形態１によれば、充電装置Ａ１〜３と放電装置Ｂ１〜３とにより、共通ラインＬ１１〜１３の電圧は、ソースドライバによって電圧が印加されていない期間において所定の値に保持される。したがって、本発明の実施形態１によれば、所定の値をソースドライバによって印加される電圧よりも低い値とすることにより、ソースドライバによって共通ラインＬ１１〜１３に電圧が印加されていない期間において、共通ラインＬ１１〜１３の電圧をほぼ零にまで低下させるのではなく適度に低下させることができるため、発光素子１〜６に大きな逆電圧が掛かることを防止することができる。
【００３０】
なお、所定の値を低くし過ぎた場合は、ある発光素子（例えば発光素子４）がショート故障すると、ソースドライバにより電圧を印加されている共通ライン（例えば共通ラインＬ１１）からショート故障した発光素子（例えば発光素子４）に接続されている所定の値に電圧が保持されている共通ライン（例えば共通ラインＬ１２）へ誤って電流が流れてしまい、ソースドライバにより電圧を印加されている共通ライン（例えば共通ラインＬ１１）に接続された発光素子（例えば発光素子２）が誤点灯する。しかしながら、この発光素子（例えば発光素子２）の誤点灯は、ショート故障している発光素子（例えば発光素子４）に接続された共通ライン（例えば共通ラインＬ１２）の電位が引き上げられ、「ソースドライバにより電圧を印加されている共通ライン（例えば共通ラインＬ１１）の電圧−ショート故障した発光素子（例えば発光素子４）に接続されている共通ライン（例えば共通ラインＬ１２）の電圧＜発光素子（例えば発光素子２）の点灯電圧」の関係式が満たされた時点で止まる。したがって、上記の誤点灯は、発光素子（例えば発光素子２）の点灯電圧より低い範囲において所定の値を可能な限り高い値（所定の値の一例）とすることにより可能な限り速やかに止めることができる。
【００３１】
また、共通ラインＬ１１〜１３の電圧がソースドライバによって電圧が印加されていない期間において所定の値に保持される場合は、点灯対象となる発光素子（例えば発光素子４）がオープン故障すると、その発光素子（例えば発光素子４）と同じ駆動ライン上にある発光素子（例えば発光素子２）に接続された所定の値に電圧が保持されている共通ライン（例えば共通ラインＬ１１）から誤って電流が引き込まれてしまい、オープン故障した発光素子（例えば発光素子４）と同じ駆動ライン上にある発光素子（例えば発光素子２）は、誤点灯し得る。しかしながら、この誤点灯する発光素子（例えば発光素子２）に流れる電流は、充電装置（例えば充電装置Ａ１）から供給される電流にほかならないため、当該誤点灯は、逆電圧の値が許容できる範囲に収まる場合には、所定の値を発光素子（例えば発光素子２）の点灯電圧より低い値（所定の値の一例）とすることにより緩和または防止すればよい。
【００３２】
なお、本発明の実施形態１では、一例として、共通ラインＬ１１が保持される所定の値を２．８Ｖとし、共通ラインＬ１２が保持される所定の値を２．０Ｖとし、共通ラインＬ１３が保持される所定の値を１．２Ｖとした。このように各共通ラインを異なる所定の値に保持すれば、ショート故障またはオープン故障による誤点灯のどちらの対策に重きを置くかを、共通ラインごとに変えることができる。
【００３３】
［本発明の実施形態２に係る表示装置］
図２は、本発明の実施形態２に係る表示装置の回路図（ａ）及びタイミングチャート（ｂ）である。図２（ｂ）中の「ＯＮ」は、半導体スイッチの両端が電気的に接続されること（スイッチが「閉じる」こと）を意味している。
【００３４】
図２に示すように、本発明の実施形態２に係る表示装置は、充電装置Ａに複数の共通ラインＬ１１〜１３が接続されている点で、複数の共通ラインＬ１１〜１３に充電装置Ａ１〜３がそれぞれ接続される本発明の実施形態１に係る表示装置と相違する。本発明の実施形態２に係る表示装置においても、本発明の実施形態１に係る表示装置と同様に、ソースドライバによって共通ラインに電圧が印加されていない期間において、共通ラインＬ１１〜１３の電圧をほぼ零にまで低下させるのではなく適度に低下させることができるため、発光素子１〜６に大きな逆電圧が掛かることを防止することができる。
【００３５】
なお、本発明の実施形態２では、一例として、各共通ラインＬ１１〜１３が保持される所定の値を２．８Ｖとした。
【００３６】
また、充電装置Ａと共通ラインＬ１１〜１３との間には、ダイオードＤが設けられている。ダイオードＤは、ソースドライバによって電圧が印加されている共通ライン（例えば共通ラインＬ１２）から、所定の値に電圧が保持されている共通ライン（例えば共通ラインＬ１１）に電流が流れることを防止している。
【００３７】
（動作）
図２（ｂ）に示すように、本発明の実施形態２に係る表示装置では、表示装置の電源が投入されてから、所定の時間が経過すると、ソースドライバによる共通ラインＬ１１〜１３の走査が開始される。充電装置Ａの電圧供給部Ｖ２が共通ラインＬ１１〜１３に常時接続されているため、共通ラインＬ１１〜１３の電圧は、表示装置の電源投入直後から共通ラインの走査が開始されるまでの間（ソースドライバによって電圧が印加されていない期間の一例）において所定の値にまで引き上げられる。具体的には、共通ラインＬ１１〜１３の電圧は０Ｖから２．８Ｖにまで引き上げられる。
【００３８】
ソースドライバによる走査が開始すると、複数の共通ラインＬ１１〜１３に時分割で電圧が印加される。具体的には、半導体スイッチＣＯＭ１〜３が、半導体スイッチＣＯＭ１、半導体スイッチＣＯＭ２、半導体スイッチＣＯＭ３、半導体スイッチＣＯＭ１・・・の順に所定の時間間隔を空けて繰り返し開閉し、複数の共通ラインＬ１１〜１３に電圧が順次印加される。
【００３９】
シンクドライバは、複数の駆動ラインＬ２１、２２のうち点灯対象となる発光素子に接続された駆動ラインから電流を引き込む。ここでは、発光素子１、４が点灯対象となる発光素子であるとして、共通ラインＬ１１に電圧が印加されている間に半導体スイッチＳＥＧ１が閉じて駆動ラインＬ２１から電流が引き込まれ、共通ラインＬ１２に電圧が印加されている間に半導体スイッチＳＥＧ２が閉じて駆動ラインＬ２２から電流が引き込まれる。これにより、発光素子１、４が点灯する。
【００４０】
放電装置Ｂ１〜３が有する半導体スイッチＳＷ１〜３は、ソースドライバが共通ラインＬ１１〜１３のいずれかへの電圧の印加を終了してから共通ラインＬ１１〜１３のいずれかへの電圧の印加を開始するまでの間（ソースドライバによって共通ラインに電圧が印加されていない期間の一例）、すなわち、半導体スイッチＣＯＭ１〜３のいずれかが閉じてから半導体スイッチＣＯＭ１〜３のいずれかが開くまでの間に閉じる。これにより、共通ラインＬ１１〜１３の電圧が所定の値にまで引き下げられる、あるいは所定の値のまま保持される。具体的には、５Ｖから２．８Ｖにまで引き下げられる、あるいは２．８Ｖのまま保持される。
【００４１】
［本発明の実施形態３に係る表示装置］
図３は、本発明の実施形態３に係る表示装置の回路図（ａ）及びタイミングチャート（ｂ）である。図３（ｂ）中の「ＯＮ」は、半導体スイッチの両端が電気的に接続されること（スイッチが「閉じる」こと）を意味している。
【００４２】
図３に示すように、本発明の実施形態３に係る表示装置は、放電装置Ｂに複数の共通ラインＬ１１〜１３が接続されている点で、複数の共通ラインＬ１１〜１３に放電装置Ｂ１〜３がそれぞれ接続される本発明の実施形態１に係る表示装置と相違する。本発明の実施形態３に係る表示装置においても、本発明の実施形態１に係る表示装置と同様に、ソースドライバによって共通ラインＬ１１〜１３に電圧が印加されていない期間において、共通ラインＬ１１〜１３の電圧をほぼ零にまで低下させるのではなく適度に低下させることができるため、発光素子１〜６に大きな逆電圧が掛かることを防止することができる。
【００４３】
なお、充電装置Ａ１〜３と放電装置Ｂとの間には、ダイオードＤが設けられている。ダイオードＤは、ソースドライバによって電圧が印加されている共通ライン（例えば共通ラインＬ１２）から、所定の値に電圧が保持されている共通ライン（例えば共通ラインＬ１１）に電流が流れることを防止している。
【００４４】
（動作）
図３（ｂ）に示すように、本発明の実施形態３に係る表示装置では、表示装置の電源が投入されてから、所定の時間が経過すると、ソースドライバによる共通ラインＬ１１〜１３の走査が開始される。充電装置Ａ１〜３の電圧供給部Ｖ２が共通ラインＬ１１〜１３に常時接続されているため、共通ラインＬ１１〜１３の電圧は、表示装置の電源投入直後から共通ラインの走査が開始されるまでの間（ソースドライバによって電圧が印加されていない期間の一例）において所定の値にまで引き上げられる。具体的には、共通ラインＬ１１の電圧は０Ｖから２．８Ｖにまで引き上げられ、共通ラインＬ１２の電圧は０Ｖから２．０Ｖにまで引き上げられ、共通ラインＬ１３の電圧は０Ｖから１．２Ｖにまで引き上げられる。
【００４５】
ソースドライバによる走査が開始すると、複数の共通ラインＬ１１〜１３に時分割で電圧が印加される。具体的には、半導体スイッチＣＯＭ１〜３が、半導体スイッチＣＯＭ１、半導体スイッチＣＯＭ２、半導体スイッチＣＯＭ３、半導体スイッチＣＯＭ１・・・の順に所定の時間間隔を空けて繰り返し開閉し、複数の共通ラインＬ１１〜１３に電圧が順次印加される。
【００４６】
シンクドライバは、複数の駆動ラインＬ２１、２２のうち点灯対象となる発光素子に接続された駆動ラインから電流を引き込む。ここでは、発光素子１、４が点灯対象となる発光素子であるとして、共通ラインＬ１１に電圧が印加されている間に半導体スイッチＳＥＧ１が閉じて駆動ラインＬ２１から電流が引き込まれ、共通ラインＬ１２に電圧が印加されている間に半導体スイッチＳＥＧ２が閉じて駆動ラインＬ２２から電流が引き込まれる。これにより、発光素子１、４が点灯する。
【００４７】
放電装置Ｂが有する半導体スイッチＳＷ１は、ソースドライバが共通ラインＬ１１〜１３のいずれかへの電圧の印加を終了してから共通ラインＬ１１〜１３のいずれかへの電圧の印加を開始するまでの間（ソースドライバによって共通ラインに電圧が印加されていない期間の一例）、すなわち、半導体スイッチＣＯＭ１〜３のいずれかが閉じてから半導体スイッチＣＯＭ１〜３のいずれかが開くまでの間に閉じる。これにより、共通ラインＬ１１〜１３の電圧が所定の値にまで引き下げられる、あるいは所定の値のまま保持される。具体的には、共通ラインＬ１１の電圧は５Ｖから２．８Ｖにまで引き下げられる、あるいは２．８Ｖのまま保持される。また、共通ラインＬ１２の電圧は５Ｖから２．０Ｖにまで引き下げられる、あるいは２．０Ｖのまま保持される。また、共通ラインＬ１３の電圧は５Ｖから１．２Ｖにまで引き下げられる、あるいは１．２Ｖのまま保持される。
【００４８】
［本発明の実施形態４に係る表示装置］
図４は、本発明の実施形態４に係る表示装置の回路図（ａ）及びタイミングチャート（ｂ）である。図４（ｂ）中の「ＯＮ」は、半導体スイッチの両端が電気的に接続されること（スイッチが「閉じる」こと）を意味している。
【００４９】
図４に示すように、本発明の実施形態４に係る表示装置は、充電装置Ａと放電装置Ｂとに複数の共通ラインＬ１１〜１３が接続されている点で、複数の共通ラインＬ１１〜１３のそれぞれに充電装置Ａ１〜３と放電装置Ｂ１〜３とが接続される本発明の実施形態１に係る表示装置と相違する。本発明の実施形態４に係る表示装置においても、本発明の実施形態１に係る表示装置と同様に、ソースドライバによって共通ラインに電圧が印加されていない期間において、共通ラインＬ１１〜１３の電圧をほぼ零にまで低下させるのではなく適度に低下させることができるため、発光素子１〜６に大きな逆電圧が掛かることを防止することができる。
【００５０】
なお、本発明の実施形態４では、一例として、各共通ラインＬ１１〜１３が保持される所定の値を２．８Ｖとした。
【００５１】
また、充電装置Ａと放電装置Ｂとの間、及び充電装置Ａと共通ラインＬ１１〜１３との間には、ダイオードＤがそれぞれ設けられている。ダイオードＤは、ソースドライバによって電圧が印加されている共通ライン（例えば共通ラインＬ１２）から、所定の値に電圧が保持されている共通ライン（例えば共通ラインＬ１１）に電流が流れることを防止している。
【００５２】
（動作）
図４（ｂ）に示すように、本発明の実施形態４に係る表示装置では、表示装置の電源が投入されてから、所定の時間が経過すると、ソースドライバによる共通ラインＬ１１〜１３の走査が開始される。充電装置Ａの電圧供給部Ｖ２が共通ラインＬ１１〜１３に常時接続されているため、共通ラインＬ１１〜１３の電圧は、表示装置の電源投入直後から共通ラインの走査が開始されるまでの間（ソースドライバによって電圧が印加されていない期間の一例）において所定の値にまで引き上げられる。具体的には、共通ラインＬ１１〜１３の電圧は０Ｖから２．８Ｖにまで引き上げられる。
【００５３】
ソースドライバによる走査が開始すると、複数の共通ラインＬ１１〜１３に時分割で電圧が印加される。具体的には、半導体スイッチＣＯＭ１〜３が、半導体スイッチＣＯＭ１、半導体スイッチＣＯＭ２、半導体スイッチＣＯＭ３、半導体スイッチＣＯＭ１・・・の順に所定の時間間隔を空けて繰り返し開閉し、複数の共通ラインＬ１１〜１３に電圧が順次印加される。
【００５４】
シンクドライバは、複数の駆動ラインＬ２１、２２のうち点灯対象となる発光素子に接続された駆動ラインから電流を引き込む。ここでは、発光素子１、４が点灯対象となる発光素子であるとして、共通ラインＬ１１に電圧が印加されている間に半導体スイッチＳＥＧ１が閉じて駆動ラインＬ２１から電流が引き込まれ、共通ラインＬ１２に電圧が印加されている間に半導体スイッチＳＥＧ２が閉じて駆動ラインＬ２２から電流が引き込まれる。これにより、発光素子１、４が点灯する。
【００５５】
放電装置Ｂが有する半導体スイッチＳＷ１は、ソースドライバが共通ラインＬ１１〜１３のいずれかへの電圧の印加を終了してから共通ラインＬ１１〜１３のいずれかへの電圧の印加を開始するまでの間（ソースドライバによって共通ラインに電圧が印加されていない期間の一例）、すなわち、半導体スイッチＣＯＭ１〜３のいずれかが閉じてから半導体スイッチＣＯＭ１〜３のいずれかが開くまでの間に閉じる。これにより、共通ラインＬ１１〜１３の電圧が所定の値にまで引き下げられる、あるいは所定の値のまま保持される。具体的には、５Ｖから２．８Ｖにまで引き下げられる、あるいは２．８Ｖのまま保持される。
【００５６】
［本発明の実施形態５に係る表示装置］
図５は、本発明の実施形態５に係る表示装置の回路図（ａ）及びタイミングチャート（ｂ）である。図５（ｂ）中の「ＯＮ」は、半導体スイッチの両端が電気的に接続されること（スイッチが「閉じる」こと）を意味している。
【００５７】
図５に示すように、本発明の実施形態５に係る表示装置は、充電装置Ａの電圧供給部Ｖ２と共通ラインＬ１１〜１３との間に半導体スイッチＳＷ１が接続されている点で、電圧供給部Ｖ２と共通ラインＬ１１〜１３との間に半導体スイッチが接続されていない本発明の実施形態４に係る表示装置と相違する。本発明の実施形態５に係る表示装置においても、本発明の実施形態４に係る表示装置と同様に、ソースドライバによって共通ラインに電圧が印加されていない期間において、共通ラインＬ１１〜１３の電圧をほぼ零にまで低下させるのではなく適度に低下させることができるため、発光素子１〜６に大きな逆電圧が掛かることを防止することができる。
【００５８】
図５（ｂ）に示すように、半導体スイッチＳＷ１は、表示装置の電源投入直後から共通ラインの走査（ソースドライバによる電圧の印加）が開始されるまでの間において少なくとも一度閉じられる。これにより、共通ラインＬ１１〜１３は、表示装置の電源投入直後から共通ラインの走査（ソースドライバによる電圧の印加）が開始されるまでの間において所定の値に保持され、当該期間においても、発光素子１〜６に大きな逆電圧が掛かることが防止される。
【００５９】
本発明の実施形態５に係る表示装置において、共通ラインＬ１１〜１３の電圧は、ソースドライバによって共通ラインに電圧が印加されていない期間のうち半導体スイッチＳＷ１が開いている間は、自然放電や漏れ電流により、徐々に低下する。しかしながら、大きく低下する前に、半導体スイッチＳＷ１が再び閉じて共通ラインＬ１１〜１３の電圧は再び引き上げられるため、本発明の実施形態１〜４に係る表示装置と比較すると保持の程度に多少の差はあるものの、本発明の実施形態５に係る表示装置においても、共通ラインＬ１１〜１３の電圧は所定の値に保持されている。
【００６０】
（動作）
図５（ｂ）に示すように、本発明の実施形態５に係る表示装置では、表示装置の電源が投入されてから、ソースドライバによる共通ラインＬ１１〜１３の走査が開始されるまでの間に、充電装置Ａが有する半導体スイッチＳＷ１が閉じる。これにより、共通ラインＬ１１〜１３の電圧は、表示装置の電源投入直後から共通ラインの走査が開始されるまでの間（ソースドライバによって電圧が印加されていない期間の一例）において所定の値にまで引き上げられる。具体的には、共通ラインＬ１１〜１３の電圧は０Ｖから２．８Ｖにまで引き上げられる。
【００６１】
ソースドライバによる走査が開始すると、複数の共通ラインＬ１１〜１３に時分割で電圧が印加される。具体的には、半導体スイッチＣＯＭ１〜３が、半導体スイッチＣＯＭ１、半導体スイッチＣＯＭ２、半導体スイッチＣＯＭ３、半導体スイッチＣＯＭ１・・・の順に所定の時間間隔を空けて繰り返し開閉し、複数の共通ラインＬ１１〜１３に電圧が順次印加される。
【００６２】
シンクドライバは、複数の駆動ラインＬ２１、２２のうち点灯対象となる発光素子に接続された駆動ラインから電流を引き込む。ここでは、発光素子１、４が点灯対象となる発光素子であるとして、共通ラインＬ１１に電圧が印加されている間に半導体スイッチＳＥＧ１が閉じて駆動ラインＬ２１から電流が引き込まれ、共通ラインＬ１２に電圧が印加されている間に半導体スイッチＳＥＧ２が閉じて駆動ラインＬ２２から電流が引き込まれる。これにより、発光素子１、４が点灯する。
【００６３】
放電装置Ｂが有する半導体スイッチＳＷ２は、ソースドライバが共通ラインＬ１１〜１３のいずれかへの電圧の印加を終了してから共通ラインＬ１１〜１３のいずれかへの電圧の印加を開始するまでの間（ソースドライバによって共通ラインに電圧が印加されていない期間の一例）、すなわち、半導体スイッチＣＯＭ１〜３のいずれかが閉じてから半導体スイッチＣＯＭ１〜３のいずれかが開くまでの間に閉じる。これにより、共通ラインＬ１１〜１３の電圧が所定の値にまで引き下げられる、あるいは所定の値のまま保持される。具体的には、５Ｖから２．８Ｖにまで引き下げられる、あるいは２．８Ｖのまま保持される。なお、放電装置Ｂが有する半導体スイッチＳＷ２とともに、充電装置Ａが有する半導体スイッチＳＷ１が閉じるため、共通ラインＬ１１〜１３の電圧が２．８Ｖより低い値にまで引き下げられることは抑制される。
【００６４】
以上の本発明の実施形態１から５について説明したが、本発明の実施形態１から５では、複数の共通ラインＬ１１〜１３のすべてが充電装置と放電装置とに接続される形態について説明した。しかしながら、複数の共通ラインのＬ１１〜１３中には、充電装置や放電装置に接続されていないものが含まれていてもよい。例えば、発光素子（赤）はスタティック（１／１Ｄｕｔｙ）、発光素子（緑）及び発光素子（青）は１／２Ｄｕｔｙなどのように色毎にダイナミック点灯方式が異なる表示装置においては、発光素子（赤）が接続された共通ライン（例えば共通ラインＬ１１）には充電装置や放電装置を接続しないものとし、発光素子（緑）及び発光素子（青）が接続された共通ライン（例えば共通ラインＬ１２、１３）には充電装置や放電装置を接続するものとすることができる。
【実施例１】
【００６５】
次に、本発明の実施例１に係る表示装置について説明する。
【００６６】
本発明の実施例１に係る表示装置では、２４本の共通ラインと４８本の駆動ラインとを交差して配置し、共通ラインと駆動ラインとを交差してできる各交点に、１１５２個の発光ダイオード（Ｒｅｄ、Ｇｒｅｅｎ、Ｂｌｕｅからなる３種類の発光ダイオードチップが含まれる。）をそれぞれ配置した。
【００６７】
ソースドライバには５Ｖで動作するＰチャネル型ＦＥＴを用い、シンクドライバには１５ｍＡ程度に設定した定電流駆動のＮＰＮトランジスタを用いた。充電装置は、出力電圧が３．３ＶとなるＬＤＯレギュレータ（Ｌｏｗ  Ｄｒｏｐ−Ｏｕｔ  レギュレータ：シリーズレギュレータの一例）を電圧供給部の一例として有しており、また、Ｎチャネル型ＦＥＴと抵抗２７０Ωとを負荷の一例として有している。これにより、共通ラインは、ソースドライバによって電圧を印加されている期間においては、発光ダイオードを駆動するため５Ｖになり、ソースドライバによって電圧を印加されていない期間においては、その寄生容量が放電され、その電圧が３．３Ｖ（所定の値の一例）に保持される。
【００６８】
この本発明の実施例１に係る表示装置を、１／２４のＤｕｔｙ比でダイナミック駆動させ、共通ラインの走査周期を８６．８ｕｓとし、走査される共通ラインにおいてソースドライバが電圧を印加する期間を７６．８ｕｓとし、電圧を印加していない期間を１０ｕｓ、その内、放電装置のスイッチングを３ｕｓとした。
【００６９】
また、誤点灯が発生しているか、また逆電圧がかかっているかが分かりやすいように、あえて斜め点灯、すなわち、マトリクス状に配置された１１５２個の発光ダイオードのうち斜め方向に配置されたものを点灯させた。
【００７０】
このような表示装置について、誤点灯は目視により確認し、逆電圧はオシロスコープにより確認したところ、発光ダイオードの誤点灯は見られず、非点灯の発光ダイオードに掛かる逆電圧は小さく抑えられていた。また、電源投入直後において、ソースドライバにより各共通ラインに電圧を１度も印加していない時においてもすべての共通ラインの電圧が３．３Ｖに保持されており、すべての共通ラインが１通り（１回以上）ソースドライバによって電圧印加されるまでの間においても発光ダイオードに掛かる逆電圧は小さく抑えられていた。
【００７１】
したがって、本発明の実施例１に係る表示装置は、品質の高い表示装置であると評価することができる。
【００７２】
［比較例１］
次に、比較例１に係る表示装置について検討する。
【００７３】
比較例１に係る表示装置としては、本発明の実施例１に係る表示装置と基本的には同じ構成を有しているが、放電装置を備えていない表示装置を用いた。これにより、共通ラインは、ソースドライバによって電圧を印加されていない期間において、その寄生容量が放電されず、その電圧が所定の値に保持されない。
【００７４】
比較例１に係る表示装置は充電装置を備えているため、各共通ラインには、ソースドライバによって電圧印加されていない期間（電源投入直後を含む。）において３．３Ｖ以上の電圧が掛かっており、発光ダイオードに掛かる逆電圧は、小さく抑えられていた。
【００７５】
しかしながら、比較例１に係る表示装置は、充電装置とともに放電装置を備えていないため、斜め点灯、すなわち、マトリクス状に配置された１１５２個の発光ダイオードのうち斜め方向に配置されたものを点灯させたところ、点灯させている発光ダイオードと同じ駆動ラインに接続された発光ダイオードであって、点灯させている発光ダイオードが接続された共通ラインから数本程度の範囲で離れている共通ラインに接続されるいくつかの発光ダイオードについて、誤点灯が確認された。
【００７６】
このように、比較例１に係る表示装置は、充電装置とともに放電装置を備えていないため、発光ダイオードに掛かる逆電圧は小さく抑えられるが、品質の悪い表示装置であると評価することができる。
【００７７】
［比較例２］
次に、比較例２に係る表示装置について検討する。
【００７８】
比較例２に係る表示装置は、本発明の実施例１に係る表示装置と基本的には同じ構成を有しているが、充電装置を備えていない表示装置を用いた。これにより、共通ラインは、ソースドライバによって電圧を印加されていない期間において、放電装置により、その寄生容量がほとんど放電され、その電圧が所定の値に保持されることになくほぼ零になる。
【００７９】
比較例２に係る表示装置は、放電装置を備えているため、斜め点灯、すなわち、マトリクス状に配置された１１５２個の発光ダイオードのうち斜め方向に配置されたものを点灯させたところ、誤点灯は確認されなかった。
【００８０】
しかしながら、比較例２に係る表示装置は、充電装置を備えていないため、非点灯の発光ダイオードに大きな逆電圧が掛かっていた。また、電源投入直後においても、発光ダイオードに大きな逆電圧が掛かっていた。
【００８１】
このように、比較例２に係る表示装置は、放電装置とともに充電装置を備えていないため、発光ダイオードに大きな逆電圧が掛かる表示装置であると評価することができる。
【００８２】
以上、本発明の実施形態及び実施例について説明したが、これらの説明は、本発明の一例に関するものであり、本発明は、これらの説明によって何ら限定されるものではない。
【符号の説明】
【００８３】
Ｌ１１〜１３    共通ライン
Ｌ２１、２２    駆動ライン
１〜６          発光素子
ＣＯＭ１〜３    半導体スイッチ
ＳＥＧ１、２    半導体スイッチ
Ａ、Ａ１〜３    充電装置
Ｂ、Ｂ１〜３    放電装置
Ｖ１、Ｖ２      電圧供給部
ＳＷ１〜３      半導体スイッチ
Ｄ              ダイオード
【図１】
2015031744.tif 000003
【図２】
2015031744.tif 000004
【図３】
2015031744.tif 000005
【図４】
2015031744.tif 000006
【図５】
2015031744.tif 000007